(57)【特許請求の範囲】
【請求項１】
容器本体と、
その容器本体内に収容され、上下方向に伸縮する第１蛇腹部を備えた第１収納容器と、
その容器本体内に収容され、上下方向に伸縮する第２蛇腹部を備えた第２収納容器と、
前記第１収納容器および第２収納容器を加圧する加圧手段と、
容器本体の開口部を閉じ、第１収納容器と外部とを連通する第１通路と第２収納容器と外部とを連通する第２通路とを備えたバルブ機構とを有し、
前記第１収納容器と第２収納容器は、前記第１蛇腹部の谷部に前記第２蛇腹部の山部が挿入され、前記第２蛇腹部の谷部に前記第１蛇腹部の山部が挿入された並列重ね状態で上下に伸縮する、
吐出容器。
【請求項２】
前記並列重ね状態を保持するように第１収納容器および第２収納容器の外周を支持する筒体を備えた、
請求項１記載の吐出容器
【請求項３】
前記筒体が、並列重ね状態の第１収納容器および第２収納容器の外周に張り巡らされたフィルムである、
請求項２記載の吐出容器。
【請求項４】
前記筒体が、並列重ね状態の第１収納容器および第２収納容器の外接形状を備えた容器本体の内面である、
請求項２記載の吐出容器。
【請求項５】
前記容器本体内を、圧縮空間と加圧空間とに区画するピストンを有し、
前記加圧手段が加圧空間内に収容される加圧剤または弾性部材であり、
前記圧縮空間内に第１収納容器および第２収納容器が収容され、
前記第１収納容器の第１底部および第２収納容器の第２底部がピストンに押圧されて、前記第１収納容器および第２収納容器は並列重ね状態で上下に伸縮する、
請求項１〜４いずれか記載の吐出容器。
【請求項６】
前記加圧手段が、前記容器本体内に充填された加圧剤である、
請求項１〜５いずれか記載の吐出容器。
【発明の詳細な説明】
【技術分野】
【０００１】
本発明は吐出容器に関する。詳しくは、複数の内容物を収容し、同時に吐出するための複数液用の吐出容器に関する。
【背景技術】
【０００２】
容器本体内に並列に配置された複数の収納部にそれぞれ収容された複数の原液を吐出する吐出容器が知られている。このような吐出容器としては、加圧剤の圧力で吐出するエアゾールタイプの吐出容器と、使用者の操作力で吐出するピストンタイプの吐出容器が知られている。
エアゾールタイプの吐出容器としては、例えば、特許文献１のように、外容器と、その外容器内に収納され、かつ、内部が隔壁部によって左右に並列した２つの原液収納部に区画された内容器と、その原液収納部を収縮するための加圧剤とからなる包装製品が知られている。
ピストンタイプの吐出容器としては、例えば、特許文献２のように、左右に並列した２つの原液収納部を有する容器と、それぞれの原液収納部に挿入される２つのピストンが連結された複式ピストンとからなるディスペンサが知られている。また、特許文献３のように、その原液収納部を上下に折り畳み可能な蛇腹容器とした折り畳み式分配装置が知られている。
【先行技術文献】
【特許文献】
【０００３】
【特許文献１】特開２００４−１６１２９２号公報
【特許文献２】特表２００３−５２６４３８号公報
【特許文献３】特表２００３−５１６９１１号公報
【発明の概要】
【発明が解決しようとする課題】
【０００４】
しかし、特許文献１の吐出容器は、原液収納部を独立して収縮するため、原液収納部の収縮はその流路抵抗（原液収納部と外部とを連通する通路の抵抗）に大きく影響される。例えば、２つの内容物に粘度差がある場合、粘度の低い内容物の流路抵抗が小さく、粘度の高い内容物に比べて吐出量が多くなり、粘度の低い内容物を収容した収納部が優先的に収縮することがある。特許文献２、３は、連結された２つのピストンを使用者が操作するものである。特許文献２の場合、一体化したピストンで押圧するため、ピストンの作動量を同じにして内容物を均等に吐出しやすい。しかし、２つの内容物を収納する収納部分の体積と同じ体積のピストンあるいはプランジャが外部に突出しているため、装置全体が嵩張り、使い勝手が悪い。また、加圧剤の圧力を利用していないため、内容物がクリームやゲルなどの粘性物であるときは特に押圧しにくい。特許文献３の場合、室（シリンダ）が上下に縮むため特許文献２のように嵩張らないが、使用者の操作によっては、ピストンが傾いたりすることがある。さらに、収容する成分の粘度が異なる場合（その流路抵抗が異なる場合）、使用者の操作が難しくなる。また、特許文献３は２つの室の間に前延長部を備えており、２つの室（シリンダ）同士が重なることを防止するものである。
本発明は、それぞれの流路抵抗に影響されず、複数の内容物を一定の吐出比率で吐出させる吐出容器を提供することを目的としている。
【課題を解決するための手段】
【０００５】
本発明の吐出容器は、容器本体と、その容器本体内に収容され、上下方向に伸縮する第１蛇腹部を備えた第１収納容器と、その容器本体内に収容され、上下方向に伸縮する第２
蛇腹部を備えた第２収納容器と、前記第１収納容器および第２収納容器を加圧する加圧手段と、容器本体の開口部を閉じ、第１収納容器と外部とを連通する第１通路と第２収納容器と外部とを連通する第２通路とを備えたバルブ機構とを有し、前記第１収納容器と第２収納容器は、前記第１蛇腹部の谷部に前記第２蛇腹部の山部が挿入され、前記第２蛇腹部の谷部に前記第１蛇腹部の山部が挿入された並列重ね状態で上下に伸縮することを特徴としている。
【０００６】
本発明の吐出容器であって、前記並列重ね状態を保持するように第１収納容器および第２収納容器の外周を支持する筒体を備えたものが好ましい。例えば、前記筒体として、並列重ね状態の第１収納容器および第２収納容器の外周に張り巡らされたフィルムや、並列重ね状態の第１収納容器および第２収納容器の外接形状を備えた容器本体の内面が挙げられる。
【０００７】
本発明の吐出容器であって、容器本体内を圧縮空間と加圧空間とに区画するピストンを有し、前記加圧手段が加圧空間内に収容される加圧剤または弾性部材であり、前記圧縮空間内に第１収納容器および第２収納容器が収容され、前記第１収納容器の第１底部および第２収納容器の第２底部がピストンに押圧されて、前記第１収納容器および第２収納容器は並列重ね状態で上下に伸縮するものが好ましい。
本発明の吐出容器の加圧手段としては、前記容器本体内に充填された加圧剤が好ましい。
【発明の効果】
【０００８】
本発明の吐出容器は、容器本体と、その容器本体内に収容され、上下方向に伸縮する第１蛇腹部を備えた第１収納容器と、その容器本体内に収容され、上下方向に伸縮する第２蛇腹部を備えた第２収納容器と、前記第１収納容器および第２収納容器を加圧する加圧手段と、容器本体の開口部を閉じ、第１収納容器と外部とを連通する第１通路と第２収納容器と外部とを連通する第２通路とを備えたバルブ機構とを有し、前記第１収納容器と第２収納容器は、前記第１蛇腹部の谷部に前記第２蛇腹部の山部が挿入され、前記第２蛇腹部の谷部に前記第１蛇腹部の山部が挿入された並列重ね状態で上下に伸縮するため、外部と連通する通路を片側のみ開放しても容器本体内に収容された収納容器が一つだけ傾いたり、一つだけ収縮度が異なったりすることがない。そのため、収納容器に充填される内容物を一定の吐出比率で最後まで吐出することができる。
【０００９】
本発明の吐出容器であって、前記並列重ね状態を保持するように第１収納容器および第２収納容器の外周を支持する筒体を備えた場合、一層安定して複数の内容物の吐出比率を一定に吐出させることができる。前記筒体として、並列重ね状態の第１収納容器および第２収納容器の外周に張り巡らされたフィルムを採用する場合、簡単に組み立てることができる。前記筒体として、並列重ね状態の第１収納容器および第２収納容器の外接形状を備えた容器本体の内面とする場合、容器本体内を小さくすることができ、容器本体内の空間を有効に利用することができる。
【００１０】
本発明の吐出容器であって、容器本体内を圧縮空間と加圧空間とに区画するピストンを有し、前記加圧手段が加圧空間内に収容される加圧剤または弾性部材であり、前記圧縮空間内に第１収納容器および第２収納容器が収容され、前記第１収納容器の第１底部および第２収納容器の第２底部がピストンに押圧されて、前記第１収納容器および第２収納容器は並列重ね状態で上下に伸縮する場合、第１収納容器の底部および第２収納容器の底部を同時に安定して押圧することができるため、一層信頼性の高い吐出容器となる。
本発明の吐出容器の加圧手段が前記容器本体内に充填された加圧剤である場合、均等に第１収納容器の底部および第２収納容器の底部を押圧することができる。特に、ピストンを設けた吐出容器の場合、同じ力で同時に両底部を押圧できる。
【図面の簡単な説明】
【００１１】
【図１】図１ａは本発明の吐出容器の一実施形態を示す断面図であり、図１ｂはそのＸ−Ｘ線断面図である。
【図２】図１の吐出容器の吐出状態を示す断面図である。
【図３】本発明の吐出容器の他の実施形態を示す断面図である。
【図４】図４ａは本発明の吐出容器のさらに他の実施形態を示す断面図であり、図４ｂはそのＹ−Ｙ線断面図である。
【図５】本発明の吐出容器のさらに他の実施形態を示す断面図である。
【図６】図６ａ、ｂはそれぞれ本発明の吐出容器のさらに他の実施形態を示す横断面図である。
【発明を実施するための形態】
【００１２】
図１の２液用の吐出容器１０は、容器本体１１と、容器本体１１内を圧縮空間Ｓ１と加圧空間Ｓ２とに区画するピストン１２と、圧縮空間Ｓ１内に収容され、上下方向に伸縮する蛇腹状の胴部（第１蛇腹部）１３ａを備えた第１収納容器１３と、圧縮空間Ｓ１内に収容され、上下方向に伸縮する蛇腹状の胴部（第２蛇腹部）１４ａを備えた第２収納容器１４と、第１収納容器１３および第２収納容器１４の外周に張り巡らされたフィルム１５と、加圧空間Ｓ２に収容され、第１収納容器１３の底部１３ｂおよび第２収納容器１４の底部１４ｂをピストン１２を介して加圧する加圧剤Ｐと、容器本体１１の開口部を閉じ、それぞれ第１収納容器１３および第２収納容器１４と外部とを連通する通路を開閉するバルブアッセンブリ１６とを有している。
第１収納容器１３と第２収納容器１４は、第１蛇腹部（第１収納容器の胴部１３ａ）の谷部１３ａ２に第２蛇腹部（第２収納容器の胴部１４ａ）の山部１４ａ１が挿入され、第２蛇腹部の谷部１４ａ２に第１蛇腹部の山部１３ａ１が挿入された並列重ね状態で上下に伸縮する。
吐出容器１０の第１収納容器１３および第２収納容器１４に、それぞれ第１内容物Ａおよび第２内容物Ｂを充填することにより、吐出製品となる。
【００１３】
容器本体１１は、底部１１ａを備えた硬質の円筒体であり、上端に半径方向外側に突出するフランジ部１１ｂが形成されている。内径が一様となっている。しかし、ピストン１２が摺動する範囲において内径が一様であれば、その形状は特に限定されるものではない。
容器本体１１は、ポリエチレンテレフタレート、ナイロン等の合成樹脂から成形される。例えば、合成樹脂材料を押出成型にてプリフォームとし、さらにそのプリフォームを二軸延伸ブロー成型にて成形することができる。しかし、アルミニウム等の金属から成形してもよい。
【００１４】
ピストン１２は、上底１２ａを備えた硬質の筒状体であり、その上端に半径方向外側に突出した環状の羽根１２ｂが形成されている。羽根１２ｂは、下向きに延びた可撓性を有する部位である。ピストン１２は、容器本体１１の内面とシールを保ちながら摺動し、容器本体１１内を圧縮空間Ｓ１と加圧空間Ｓ２に区画する。また羽根１２ｂを備えているため、下方向への流体の流れを許し、上方向への流体の流れを阻止する逆止弁を構成する。上底１２ａは、第１収納部１３の底部１３ｂと第２収納部１４の底部１４ｂを同時に押圧できれば、その形状は特に限定されるものではない。同時に押圧できるように構成することにより、第１収納容器１３および第２収納容器１４の収縮度を一層正確に同じにすることができる。
ピストン１２としては、ポリエチレンテレフタレート、ナイロン、ポリエチレン、ポリプロピレン、ポリアセタール等の合成樹脂または、天然ゴム、合成ゴムなどのゴムから射出成型等で成形されるものが用いられる。
【００１５】
第１収納容器１３は、蛇腹状の胴部１３ａと、胴部１３ａの下端を閉じる底部１３ｂと、胴部１３ａの上端に設けられた筒状のバルブ連結部１３ｃとを備えている。第２収納容器１４も、実質的に第１収納容器１３と同じ構成を有し、胴部１４ａ、底部１４ｂおよびバルブ連結部１４ｃを備えている。
第１収納容器１３および第２収納容器１４は、第１収納容器１３の胴部１３ａの蛇腹の山部１３ａ１が第２収納容器１４の胴部１４ａの蛇腹の谷部１４ａ２に挿入され、第２収納容器１４の胴部１４ａの蛇腹の山部１４ａ１が第１収納容器１３の胴部１３ａの谷部１３ａ２に挿入されている。つまり、図１ｂに示すように、第１収納容器１３および第２収納容器１４は、胴部１３ａおよび胴部１４ａの一部が互いに重ねられた状態で並列に配置されている（並列重ね状態）。
【００１６】
このように第１収納容器１３および第２収納容器１４は配置されているため、互いに拘束し合いながら伸縮する。つまり、２つの内容物Ａ、Ｂを吐出し、第１収納容器１３および第２収納容器１４を収縮させるとき、一方または両方の収納容器が傾いたり、一方だけが収縮したりすることを防止する。そのため、第１収納容器１３の底部１３ａおよび第２収納容器１４の底部１４ａを同時にかつ同距離を移動させることができ、２つの内容物Ａ、Ｂを常に一定の吐出量比率で吐出することができる。この実施形態では、第１収納容器１３および第２収納容器１４は、同じ内径を有しているため、２つの内容物Ａ、Ｂの吐出量は同じとなる。
第１収納容器１３および第２収納容器１４は、ポリエチレン等のポリオレフィン、ナイロン等の軟質合成樹脂、天然ゴムや合成ゴムなどのゴムから成形される。例えば、合成樹脂材料を押出成型にて中空のホース上状に加工し、その後すぐにブロー成形にかけ蛇腹部を成形することができる。しかし、内容物を保管でき、上下方向に伸縮できる程度に可撓性を有するものであれば、特に限定されない。
【００１７】
フィルム１５は、並列重ね状態の第１収納容器１３および第２収納容器１４の外周に張り巡らされている。
このようにフィルム１５を設けることにより、第１収納容器１３または第２収納容器１４の一方のみが傾くことを防止できる。詳しくは、一方の山部が他方の山部を乗り越えることがなく、２つの収納容器を並列重ね状態で保持できる。そのため、第１収納容器１３および第２収納容器１４を確実に並列重ね状態で伸縮させることができる。
フィルム１５としては、ポリエチレン等のポリオレフィン、ポリプロピレン、ポリスチレン、ポリエチレンテレフタレート、ナイロン、ポリフッ化ビニリデン（フロロカーボン）等の熱収縮性を有する合成樹脂フィルムが用いられる。しかし、第１収納容器１３および第２収納容器１４を並列重ね状態で伸縮させることができれば、特に限定されない。
【００１８】
バルブアッセンブリ１６は、容器本体１１の開口部を閉じるバルブホルダー２１と、そのバルブホルダー２１に保持されるエアゾールバルブ２２と、エアゾールバルブ２２をバルブホルダー２１に固定し、かつ、バルブホルダー２１を容器本体１１に固定するカバーキャップ２３とからなる。しかし、バルブアッセンブリ１６は、容器本体１１を閉じ、２つの内容物を通す通路を連通／遮断できるバルブ機構を備えていれば、特に限定されるものではない。例えば、このバルブアッセンブリ１６は、２つのステムを備えているが、中心孔と同軸に設けられた筒状孔とからなる２液吐出用のステムを用いてもよい。また、２つの独立した通路を開閉するものでもよく、２つの内容物を合流させ、共通通路を開閉するものでもよい。
【００１９】
バルブホルダー２１は、筒状の栓部２６と、その上端から外方に突出して設けられ、容器本体１１の開口部を閉じる蓋部２７とからなる。
栓部２６は、容器本体１１の開口部に沿った円筒体であり、その外周面にＯリング２５
を保持する環状凹部２６ａが形成されている。Ｏリング２５は、容器本体１１の開口部内面と環状凹部２６ａとの間で半径方向に圧縮され、容器本体１１と栓部２６との間をシールする。なお、バルブホルダー２１と容器本体１１のシール構造は、容器本体１１の上端と蓋部２７の外周端２７ａの間にシール材を設けることによって形成してもよい。またバルブホルダー２１と容器本体１１との間のシール構造を設けなくてもよい。その場合、圧縮空間Ｓ１が圧縮されることにより、圧縮空間Ｓ１から外部に排気され、ピストン１２の動きがスムースになる。一方、この実施形態のようにバルブホルダー２１と容器本体１１との間をシールする場合、圧縮空間Ｓ１内を窒素等の不活性ガス等で充填させることができ、第１収納容器１３および第２収納容器１４内の内容物を安定に保管することができる。例えば、２液反応性の内容物、特に２液反応型の染毛剤を収容するときに好ましい。なお、バルブホルダー２１と容器本体１１との間をシールする場合、ピストン１２が上方に移動することにより、圧縮空間Ｓ１内の圧力が多少上がるが、加圧空間Ｓ２内の圧力を調整することにより、内容物を最後まで吐出させることができる。
蓋部２７は、上下に貫通するように形成され、エアゾールバルブ２２を受け入れる２つの筒状のホルダー部２８が形成されている。蓋部２７の外周端２７ａは、容器本体１１の開口部上端に配置される。２つのホルダー部２８は、蓋部２７の中心を軸に相対するように形成されている。
ホルダー部２８は、外筒部２８ａと、内筒部２８ｂと、それらの下端を連結する環状段部２８ｃとからなり、環状段部２８ｃの中心孔は内筒部２８ｂより小径となっている。このホルダー部２８内に、エアゾールバルブ２２を挿入する。このホルダー部２８の構造は、特に限定されるものではなく、エアゾールバルブ２２に応じて設計される。
【００２０】
エアゾールバルブ２２は、第１収納部１３または第２収納部１４から送り出される内容物の流れを外部操作で制御するものである。その構造は特に限定されるものではない。このエアゾールバルブ２２は、下部に第１収納容器１３または第２収納容器１４が連結される筒状のハウジング３１と、そのハウジング３１内に上下動自在に挿入されるステム３２と、そのステムのステム孔３２ａを閉じるステムラバー３３と、ステム３２を常時上方に付勢するバネ３４と、ステム３２およびステムラバー３３をハウジング３１に固定するカバー３５とからなる。カバー３５の下端は、下方に真っ直ぐ延びており、ホルダー部２８の外筒部２８ａと内筒部２８ｂの間に挿入される。これにより、エアゾールバルブ２２は、ホルダー部２８内にしっかり係止される。
【００２１】
カバーキャップ２３は、バルブホルダー２１およびエアゾールバルブ２２を覆うカバー部３６と、バルブホルダー２１と容器本体１１とを固定する円筒状の固定部３７とからなる。
【００２２】
この吐出容器１０への加圧剤および内容物Ａ、Ｂの充填方法は、容器本体１１内にピストン１２を収容し、加圧剤Ｐをピストン１２の上方から充填する。このときピストン１２の羽根部１２ｂは下方への流体の流れを許す逆止弁の効果を奏するため、加圧剤Ｐをピストン１２の下方の加圧空間Ｓ２に充填することができる。加圧剤Ｐの充填と同時に、第１収納容器１３および第２収納容器１４を連結させたバルブアッセンブリ１６で容器本体１１の開口部を閉じる。ついで、エアゾールバルブ２２のステム３２を開き、第１収納容器１３および第２収納容器１４内を排気する。最後に、それぞれのステム３２から加圧剤の圧力に抗しながら第１内容物Ａおよび第２内容物Ｂを充填する。
【００２３】
この吐出容器１０に内容物Ａ、Ｂを充填した吐出製品の２つのステム３２を同時に押す押ボタン３０（図１の想像線）を用いて、２つのステム３２を押し下げ、両エアゾールバルブ２２を開放することにより、加圧剤Ｐによって加圧されて両内容物Ａ、Ｂを同時に吐出する。つまり、両エアゾールバルブ２２が開放されることにより、加圧空間Ｓ２内の加圧剤Ｐがピストン１２を上方に押圧し、そのピストン１２の上底１２ａと当接している第
１収納容器１３の底部１３ｂおよび第２収納容器１４の底部１４ｂが上方に移動する。それにより、第１収納容器１３の胴部（第１蛇腹部）１３ａおよび第２収納容器１４の胴部（第２蛇腹部）１４ａが並列重ね状態で収縮する。それと共に両内容物Ａ、Ｂがエアゾールバルブ２２のステム３２から押ボタン３０を経由して外部に吐出される（図２参照）。
このとき、第１収納容器１３と第２収納容器１４とが並列重ね状態で同一長さ収縮するため、それぞれの容器の吐出通路の抵抗が異なっていても、２つの内容物Ａ、Ｂを常に一定の吐出量比率とすることができる。例えば、２つの内容物の粘度が異なる場合でも一定の吐出量比率とすることができる。また、押ボタン３０等が傾いたりして第１収納部１３または第２収納部１４と連結したバルブの一方のみが開放される場合、開放されなかったバルブに連結された他方の収納容器が一方の収納容器の収縮を拘束し、一方の内容物のみが吐出されることがない。
なお、第１収納容器１３と第２収納容器１４の蛇腹部の山部と谷部を接着や溶着することで、より並列重ね状態が維持されるため一定の吐出量比率で吐出することができる。
【００２４】
図３の吐出容器１０ａは、第１収納容器１３の胴部１３ａと第２収納容器１４の胴部１４ａの断面積（容積）が異なったものである。また、容器本体１１とバルブホルダー２１との間にシール構造を設けていないものである。そのため、ピストン１２の上下動が図１の吐出容器１０よりスムースになる。また、収納容器には下から上へ向かう方向、つまり、蛇腹が上下に潰れる方向にのみ力がかかるため均等に吐出しやすい。この容器本体１１は、底部１１ａに加圧剤充填用のガス弁１１ｃが設けられている。ピストン１２の側面には、羽根１２ｂの代わりにＯリング１２ｃが設けられている。そのため、吐出容器１０ａを組み立てた後、ガス弁１１ｃより加圧剤Ｐを充填し、エアゾールバルブ２２のステム３２よりそれぞれ内容物Ａ、Ｂを充填できる。
この吐出容器１０ａは、第１内容物Ａ、Ｂをそれぞれの収納容器の胴部の断面積の比率に応じて吐出する。２液の混合比率が異なる２液混合型の内容物を用いるときに好ましい。このように２つの収納容器の蛇腹部の断面積を変えることにより、吐出量比率は調整できる。なお、吐出量に応じてエアゾールバルブ２２の通路の断面積（例えば、ステム３２の孔径等）も調整する。他の構成は、図１の吐出容器１０と同じである。
【００２５】
図４ａの吐出容器４０は、収納容器の並列重ね状態を保持するフィルムの代わりに、容器本体４１を楕円形状としたものである（図４ｂ参照）。詳しくは、容器本体４１と、容器本体４１内を圧縮空間Ｓ１と加圧空間Ｓ２とに区画するピストン４２と、圧縮空間Ｓ１内に収容される第１収納容器１３と、圧縮空間Ｓ１内に収容される第２収納容器１４と、加圧空間Ｓ２に収容され、第１収納容器１３の底部１３ｂおよび第２収納容器１４の底部１４ｂをピストン４２を介して加圧する加圧剤Ｐと、容器本体４１の開口部を閉じ、それぞれ第１収納容器１３および第２収納容器１４と外部とを連通する通路を開閉するバルブアッセンブリ４３とを有している。第１収納容器１３および第２収納容器１４は、図１の吐出容器と実質的に同じものであり並列重ね状態で収容されている。
吐出容器４０の第１収納容器１３および第２収納容器１４に、それぞれ第１内容物Ａおよび第２内容物Ｂを充填することにより、吐出製品となる。
【００２６】
容器本体４１は、底部４１ａを備えた硬質の楕円筒体である（図４ｂ参照）。上端内面にバルブアッセンブリ４３を受け入れる段部４１ｂが形成されている。そして、底部４１ａの中央に加圧剤を充填するための加圧剤充填用のガス弁４１ｃが設けられている。容器本体４１も内面形状は、並列重ね状態の第１収納容器１３および第２収納容器１４の外接楕円の外面形状より若干大きい形状となっている。この内面形状で、第１収納容器１３および第２収納容器１４の並列重ね状態を保持する。このような容器本体４１は、ポリエチレンテレフタレート、ナイロン等の合成樹脂から成形される。
【００２７】
ピストン４２は、楕円形の上底４２ａを備えた硬質の楕円筒体である。ピストン４２の
側面には、羽根の代わりにＯリング４２ｃが設けられている。Ｏリング４２ｃは、容器本体４１の内面とシールを保ちながら摺動し、容器本体４１内を圧縮空間Ｓ１と加圧空間Ｓ２に区画する。上底４２ａで第１収納容器１３の底部１３ｂおよび第２収納容器１４の底部１４ｂを押圧するものである。
【００２８】
バルブアッセンブリ４３は、容器本体４１の開口部を閉じるバルブホルダー４６と、そのバルブホルダー２１に保持されるバルブ機構４７と、バルブ機構４７をバルブホルダー４６に固定し、かつ、バルブホルダー４６を容器本体４１に固定する蓋部材４８とからなる。
【００２９】
バルブホルダー４６は、楕円柱状であり、容器本体４１の開口部に挿入される。バルブホルダー４６の外縁４６ｃが容器本体４１の段部４１ｂと係合する。そして、バルブホルダー４６には、上下に貫通するように形成されバルブ機構４７を受け入れる筒状のホルダー部４６ａが２つ形成されている。２つのホルダー部４６ａは、バルブホルダー４６の短軸を中心に相対するように形成されている。ホルダー部４６ａには、バルブ機構４７を支持する環状段部４６ｂが形成されている。
バルブ機構４７は、そのホルダー部４６ａ内に上下動自在に挿入されるステム３２と、そのステムのステム孔を閉じるステムラバー３３と、ステム３２を常時上方に付勢するバネ３４とからなる。ステム３２、ステムラバー３３、バネ３４は、図１の吐出容器１０のエアゾールバルブ２２と実質的に同じものである。
蓋部材４８は、楕円形状の平板であり、バルブホルダー４６を覆うように容器本体４１の開口部に挿入され、容器本体４１の開口部と接着あるいは溶着されるものである。蓋部材４８の短軸を中心に相対するようにステム連通孔４８ａが２つ形成されている。この蓋部材４８の下面がバルブ機構４７を支持する。
【００３０】
この吐出容器４０への加圧剤および内容物Ａ、Ｂの充填方法は、それぞれ第１収納容器１３および第２収納容器１４に内容物Ａ、Ｂを充填した状態でバルブアッセンブリ４６に連結する。次いで、容器本体１１内に、ピストン４２を収容し、収納容器を連結させたバルブアッセンブリ４６で容器本体１１の開口部を閉じる。最後に、加圧剤充填用のガス弁４１ｃから加圧剤を充填する。また、吐出容器４０を組み立ててから、それぞれのステム３２から内容物Ａ、Ｂを充填し、加圧剤をガス弁４１ｃから充填してもよい。
【００３１】
この吐出容器４０に内容物Ａ、Ｂを充填した吐出製品も、２つのステム３２を同時に押す押ボタン３０（想像線）等を用いて、２つのステム３２を押し下げ、両バルブ機構４７を開放し、両内容物Ａ、Ｂを同時に吐出する。そして、図１の吐出容器１０と同様に、第１収納容器１３および第２収納容器１４は並列重ね状態で収縮するため、２つの内容物Ａ、Ｂを常に一定の吐出量比率とすることができる。
【００３２】
図５の吐出容器５０は、ピストンを用いないものである。詳しくは、容器本体１１と、容器本体１１内に収容される第１収納容器１３と、容器本体１１内に収容される第２収納容器１４と、第１収納容器１３および第２収納容器１４の外周に張り巡らされたフィルム１５と、容器本体内に収容される加圧剤Ｐと、容器本体１１の開口部を閉じ、それぞれ第１収納容器１３および第２収納容器１４と外部とを連通する通路を開閉するバルブアッセンブリ１６とを有している。容器本体１１、第１収納容器１３、第２収納容器１４、フィルム１５、バルブアッセンブリ１６は、いずれも図１の吐出容器１０と同じものである。そして、第１収納容器１３と第２収納容器１４は、並列重ね状態で上下に伸縮する。この吐出容器５０は、容器本体１１内に加圧剤Ｐが収容されているため、容器本体１１とバルブホルダー２１との間のシール構造（Ｏリング２５）が必須となる。
このようにピストン１２を用いなくても第１収納容器１３および第２収納容器１４は、蛇腹状の胴部１３ａ、１４ａを備えているため、容器本体１１内に収容された加圧剤によ
って、半径方向の収縮より上下方向の収縮が優先的に行われる。そのため、収納容器の半径方向の収縮が行われないように、収納容器を適度の硬度を有する材料で成形するのが好ましい。
【００３３】
この吐出容器５０への加圧剤および内容物Ａ、Ｂの充填方法は、それぞれ第１収納容器１３および第２収納容器１４に内容物Ａ、Ｂを充填した状態でバルブアッセンブリ１６に連結する。次いで、収納容器を連結させたバルブアッセンブリ４６で、容器本体１１の開口部を閉じる直前に、加圧剤を充填する。最後に、バルブアッセンブリ１６のカバーキャップをカシめる。なお、内容物を充填していない収納容器を連結させたバルブアッセンブリ４６で、容器本体１１の開口部を閉じる直前に加圧剤を充填し、カバーキャップをカシめた後、ステム３２から内容物を充填してもよい。
【００３４】
この吐出容器５０も、吐出容器１０と同様に、第１収納容器１３および第２収納容器１４を並列重ね状態で収縮させるため、２つの内容物の吐出量を一定にできる。しかし、ピストンを備えていないため、図１の吐出容器１０より若干精度が低くなる。さらに、第１収納容器１３および第２収納容器１４の断面積の和は、ピストン１２の面積より小さいため、圧縮させる力が弱くなる。
【００３５】
図１〜図５の吐出容器は、全て２液を同時に吐出するものであるが、本発明は２液吐出用の吐出容器に限定されるものではない。容器本体内に３つ以上の収納容器を収容し、バルブアッセンブリのエアゾールバルブあるいはバルブ機構を３つ以上設けることにより、３液以上の内容物を吐出できる吐出容器とすることができる。
図１〜５の吐出容器の収納容器は、全て円筒状であるが、多角形であってもよい。特に、図６ａに示すように第１収納容器１３および第２収納容器１４を四角形とする場合、２つの収納容器の蛇腹部の係合面積を大きくすることができ、好ましい。その場合、図６ｂに示すように、容器本体１１の形状を並列重なり状態の２つの収納容器の外接形状に合わせることにより、効率よく内容物を収容することができる。また、２つの収納容器を異なる形状（例えば、四角と三角など）としてもよい。これらは、収納容器の外接形状と容器本体の内面との間で、適宜選択することができる。
図１〜４のピストンを備えた吐出容器の加圧空間内に加圧剤の代わりにバネ等の弾性体を用いてもよい。加圧空間Ｓ２内に加圧剤を用いるとき、加圧空間内にピストンの押圧力を一定とするレギュレータ機構を設けてもよい。
【符号の説明】
【００３６】
Ａ  第１内容物
Ｂ  第２内容物
Ｐ  加圧剤
Ｓ１  圧縮空間
Ｓ２  加圧空間
１０、１０ａ  吐出容器
１１  容器本体
１１ａ  底部
１１ｂ  フランジ部
１１ｃ  ガス弁
１２  ピストン
１２ａ  上底
１２ｂ  羽根
１２ｃ  Ｏリング
１３  第１収納容器
１３ａ  蛇腹状の胴部（第１蛇腹部）
１３ａ１  山部
１３ａ２  谷部
１３ｂ  底部
１３ｃ  バルブ連結部
１４  第２収納容器
１４ａ  蛇腹状の胴部（第２蛇腹部）
１４ａ１  山部
１４ａ２  谷部
１４ｂ  底部
１４ｃ  バルブ連結部
１５  フィルム
１６  バルブアッセンブリ
２１  バルブホルダー
２２  エアゾールバルブ
２３  カバーキャップ
２５  Ｏリング
２６  栓部
２６ａ  環状凹部
２７  蓋部
２７ａ  外周端
２８  ホルダー部
２８ａ  外筒部
２８ｂ  内筒部
２８ｃ  環状段部
３０  押しボタン
３１  ハウジング
３２  ステム
３２ａ  ステム孔
３３  ステムラバー
３４  バネ
３５  カバー
３６  カバー部
３７  固定部
４０  吐出容器
４１  容器本体
４１ａ  底部
４１ｂ  段部
４１ｃ  ガス弁
４２  ピストン
４２ａ  上底
４２ｃ  Ｏリング
４３  バルブアッセンブリ
４６  バルブホルダー
４６ａ  ホルダー部
４６ｂ  環状段部
４６ｃ  外縁
４７  バルブ機構
４８  蓋部材
４８ａ  ステム連通孔
５０  吐出容器
【図１】
0006446238.tif 000002
【図２】
0006446238.tif 000003
【図３】
0006446238.tif 000004
【図４】
0006446238.tif 000005
【図５】
0006446238.tif 000006
【図６】
0006446238.tif 000007